(57)【要約】【課題】本考案は、一般家庭に設置できる小さく、かつ、自動で空き缶を潰す装置を提供することを課題とする。【解決手段】本考案は、４ジャッキ上部固定部と６下部固定板を１３長ネジボルトと１４丸パイプで固定しその間を５ジャッキ可動部が可動し、６下部固定板の上に投入された１１空き缶をプレスする。５ジャッキ可動部は、１電動モーターによって可動する。ジャッキは小さな動力でも大きな力を発生できるため、小型のモーターで空き缶をプレスすることが可能となる。また、ジャッキと６下部固定板を傾斜させた状態で１１空き缶をプレスするため、プレスされた空き缶は、自由落下で１２空き缶用ゴミ箱の中に廃棄できる。【選択図】図１
0003166651.tif 000002
【実用新案登録請求の範囲】
【請求項１】
ジャッキの固定部と下部固定板を長ネジボルトと丸パイプで固定し、その間をジャッキの可動部が移動して、このジャッキの可動部と下部固定板の間で空き缶をプレスすることを特徴とする空き缶潰し機。
【請求項２】
前述の空き缶潰し機でジャッキと下部固定板を傾斜させた状態で空き缶をプレスすることを特徴とする空き缶潰し機。
【請求項３】
前述の空き缶潰し機でジャッキの可動部が移動して空き缶をプレスし始めると、空き缶受けパイプで止まっている空き缶は形状が変化し、空き缶受けパイプは押し出されていく。この時、空き缶受けパイプの両端がスプリングとなっているため、空き缶の形状変化に応じてスプリングが伸び、空き缶受けパイプは空き缶の形状に適応する。このプレスされて形状が変化していく空き缶に適応できる空き缶受けを用いたことを特徴する空き缶潰し機。
【考案の詳細な説明】
【技術分野】
【０００１】
本考案は、コーヒー、ジュース、ビールなどの飲料品の空き缶を小型モーターを用いてプレスし圧縮する装置に関するものである。
【背景技術】
【０００２】
コーヒー、ジュース、ビールなどの飲料品の空き缶はそのまま廃棄すれば容積が大きく、ゴミ箱もすぐに一杯になってしまう。しかし、空き缶を押し潰す作業は手間がかかるため、一般的には空き缶はそのままの状態でゴミ箱に廃棄される。
【先行技術文献】
【特許文献】
【０００３】
【特許文献１】実登３０３０５８９  公報
【考案の概要】
【考案が解決しようとする課題】
【０００４】
手動式の空き缶潰し機は、空き缶を押し潰す作業に手間がかかる。また、モーターやシリンダを用いた自動の空き缶潰し機は、空き缶をプレスして潰すために大きな力が必要となるため大きなものとなり、一般家庭に設置するには邪魔になる。そこで、一般家庭に設置できるような小さく、かつ、自動で空き缶を潰すことができる装置を考案すれば、いままでそのままの状態でゴミ箱に廃棄されていた空き缶を圧縮して廃棄することが可能となり、ゴミの容積を削減できる。
【課題を解決するための手段】
【０００５】
本考案は、ジャッキと下部固定板をボルトとパイプで固定し、その間で空き缶をプレスする。ジャッキは小さな動力でも大きな力を発生できるため、小型のモーターで空き缶をプレスすることが可能となった。
また、ジャッキと下部固定板がボルトとパイプで固定されているため、傾斜させた状態で空き缶をプレスすることが可能となり、下部固定板の上に投入された空き缶は、空き缶受けパイプで止められ、ジャッキによってプレスされ、プレスされ潰れた空き缶は空き缶受けパイプの下を通り下に落ちていく。
上述のように空き缶をプレスするために、ジャッキ、ジャッキとボルトとパイプで固定した下部固定板、小型モーターだけで空き缶をプレスできるため、装置を小さなものとすることが可能となり問題点を解決している。
【考案の効果】
【０００６】
本考案の空き缶潰し機はモーターの動力により自動で空き缶をプレスして潰すため、子供から高齢者まで誰でも空き缶を圧縮して廃棄することができる。
また、空き缶潰し機の大きさを小さくできるため、一般家庭にも設置することが可能となり、いままでそのままの状態で廃棄されていた空き缶を圧縮して廃棄することができるようになり、家庭から出されるゴミの容積を削減できるようになる。
【図面の簡単な説明】
【０００７】
【図１】本考案の空き缶潰し機に空き缶が投入された状態
【図２】投入された空き缶をプレスした状態
【図３】投入された空き缶をプレスした後、初期状態に戻った状態
【図４】ジャッキの内部構造図
【図５】空き缶を受け止める空き缶受けパイプの説明図
【考案を実施するための形態】
【０００８】
ジャッキの上部固定部と下部固定板を長ネジボルトと丸パイプで固定し、その間をジャッキの可動部が移動して空き缶をプレスする。本考案は、傾斜させた状態で空き缶をプレスするため、下部固定板の上に投入された空き缶は、空き缶受けパイプで止まり、ジャッキの可動部が可動して空き缶をプレスし、プレスが終了すればジャッキの可動部が逆方向に可動してプレスされた空き缶が下に落ちる。
ようするに投入された空き缶は空き缶受けパイプまで転がり、ジャッキによってプレスされ、プレスが終われば下に落ちるという、無駄な機構を必要としない形態である。
【実施例】
【０００９】
以下、添付図面により説明する。本考案の空き缶潰し機は図１に示すように４ジャッキ上部固定部と６下部固定板を１３長ネジボルトと１４丸パイプで固定し傾斜させて設置する。１電動モーターは４ジャッキ上部固定部の上部に取り付ける。
【００１０】
６下部固定板の上に投入された１１空き缶は、６下部固定板の上を転がり、７空き缶受けパイプで止まる。ここで、センサーが空き缶を感知し、１電動モーターが回転を始め
る。１電動モーターの回転は２スプロケット及び３チェーンを経由して、９台形ネジを回転させる。９台形ネジが回転すれば、５ジャッキ可動部が可動し、６下部固定板の上にある空き缶をプレスする。このとき、４ジャッキ上部固定部と６下部固定板は１３長ネジボルトと１４丸パイプで固定されているため、１電動モーターの回転力はすべて空き缶をプレスするところに集中する。
【００１１】
１１空き缶がプレスされると当然空き缶の形状も変化する。１１空き缶は７空き缶受けパイプで止まっているが空き缶の形状変化と共に７空き缶受けパイプは押し出されていく。この時、図５のように７空き缶受けパイプの両端が８スプリングとなっているため、空き缶の形状変化に応じてスプリングが伸び、空き缶の形状に対応している。
【００１２】
空き缶がプレスして潰され図２の状態になるとリミットスイッチが働き、１電動モーターが逆回転を始める。５ジャッキ可動部と６下部固定板の距離が離れていくと、プレスして潰された１１空き缶は自然落下し１２空き缶用ゴミ箱に落ちる。その後、５ジャッキ可動部が図３の位置まで可動するとリミットスイッチが働き、１電動モーターが停止する。
【符号の説明】
【００１３】
１  電動モーター
２  スプロケット
３  チェーン
４  ジャッキ上部固定部
５  ジャッキ可動部
６  下部固定板
７  空き缶受けパイプ
８  スプリング
９  台形ネジ
１０  ベアリング
１１  空き缶
１２  空き缶用ゴミ箱
１３  長ネジボルト
１４  丸パイプ
【図１】
0003166651.tif 000003
【図２】
0003166651.tif 000004
【図３】
0003166651.tif 000005
【図４】
0003166651.tif 000006
【図５】
0003166651.tif 000007
【手続補正書】
【提出日】平成23年1月2日(2011.1.2)
【手続補正１】
【補正対象書類名】実用新案登録請求の範囲
【補正対象項目名】請求項２
【補正方法】変更
【補正の内容】
【請求項２】
前述の空き缶をプレスする時にジャッキと下部固定板を傾斜した状態で空き缶をプレスすることを特徴とする請求項１記載の空き缶潰し機。
【手続補正２】
【補正対象書類名】実用新案登録請求の範囲
【補正対象項目名】請求項３
【補正方法】変更
【補正の内容】
【請求項３】
前述の空き缶をプレスする時に発生する空き缶の形状変化に対応できる、両端がスプリング式の空き缶受けパイプを設けたことを特徴する請求項１記載の空き缶潰し機。